(57)【要約】【課題】凍結回避のための冷媒の劣化回避の実効性を高める。【解決手段】燃料電池スタック１０は、当該スタックの燃料電池ユニット４０を冷却するための冷却系を備え、この冷却系は、燃料電池スタック１０をラジエータ７１と共に循環経路７２に組み込んで備え、ポンプ７０によって冷媒を循環経路７２にて循環させる。ラジエータ７１はリザーブタンク８０と接続され、ラジエータ７１や循環経路７２における冷媒量に応じてリザーブタンク８０からラジエータ７１に冷媒が補充される。冷媒は、エチレングリコールを水に所定配合比で配合した混合液であり、リザーブタンク８０においては、水素と酸素の反応を起こす触媒を担持した触媒担持体９０により、タンク内の気相域の酸素は除去される。【選択図】図１
2009123387.tif 000002
【特許請求の範囲】
【請求項１】
発熱部を冷媒にて冷却する冷却装置であって、
前記発熱部に前記冷媒の通過経路を組み込んだ冷媒経路と、
前記冷媒経路を流れる前記冷媒が接触する気相域を有する気相部と、
該気相部における前記気相域に存在する酸素成分による前記冷媒の酸化を抑制する酸化抑制手段とを備える
冷却装置。
【請求項２】
請求項１に記載の冷却装置であって、
前記冷媒経路は、前記冷媒を循環させる冷媒循環経路と、前記冷媒を貯留し該貯留した冷媒を前記冷媒循環経路に補充するリザーブタンクとを備え、
前記酸化抑制手段は、前記リザーブタンク内の冷媒水面より上方の気相域に配設されている
冷却装置。
【請求項３】
燃料電池を備え該燃料電池を冷却する燃料電池システムであって、
前記燃料電池を発熱部として冷媒の通過経路に組み込んだ請求項１または請求項２に記載の冷却装置を備え、
前記酸化抑制手段は、前記気相域における酸素と水素との反応を起こす触媒を担持した触媒担持体とされている
燃料電池システム。
【請求項４】
前記水素は、前記冷媒に溶存して前記気相域に達する水素である請求項３に記載の燃料電池システム。
【請求項５】
前記触媒担持体は、前記触媒による反応を経て酸素と水素から生成した水をリザーバタンク内に落下させるよう配設されている請求項３または請求項４に記載の燃料電池システム。
【発明の詳細な説明】
【技術分野】
【０００１】
本発明は、発熱部を冷媒にて冷却する冷却装置とこの冷却装置にて燃料電池を冷却する燃料電池システムに関する。
【背景技術】
【０００２】
燃料電池は、その発電のための電気化学反応の進行に伴い発熱する。その一方、電気化学反応の円滑な進行には、燃料電池を所定の温度範囲に維持することが必要とされる。このため、燃料電池を発熱部と捉えて冷媒にて冷却することが通常行われる。
【０００３】
一般に、冷媒には低温環境下での使用を想定して凍結回避性能が求められるが、燃料電池では、電気化学反応を起こすという性質上、凍結回避の他に、冷媒を介した漏電（いわゆる液絡）回避のための対策が求められる。このため、凍結回避に有益な冷媒としてのグリコール類含有冷媒を用いた場合の液絡回避が種々提案されている（例えば、特許文献１等）。
【０００４】
【特許文献１】特開２００５−１２９３８４号公報
【特許文献２】特開２００４−２９６３７５号公報
【発明の開示】
【発明が解決しようとする課題】
【０００５】
冷媒に含まれるグリコール類は、その組成上、酸化反応を起こして酸を生成し劣化する。生成された酸は冷媒中にて電離するので、液絡に対する対処が必要となり、上記の特許文献では、グリコール類の酸化反応に伴い生成する出発物質や中間生成物質を除去して、酸の生成を防止、換言すれば冷媒劣化を防止している。このように酸化反応に伴う生成物質を除去したとしても、グリコール類の酸化反応自体は起きるためにグリコール類は他の物質に変遷するので、何らかの対処が求められるに至った。
【０００６】
本発明は、上記した課題を踏まえ、凍結回避のための冷媒の劣化回避の実効性を高めることをその目的とする。
【課題を解決するための手段】
【０００７】
上記した目的の少なくとも一部を達成するために、本発明では、以下の構成を採用した。
【０００８】
[適用：冷却装置]
発熱部を冷媒にて冷却する冷却装置であって、
前記発熱部に前記冷媒の通過経路を組み込んだ冷媒経路と、
前記冷媒経路を流れる前記冷媒が接触する気相域を有する気相部と、
該気相部における前記気相域に存在する酸素成分による前記冷媒の酸化を抑制する酸化抑制手段とを備える
ことを要旨とする。
【０００９】
上記構成の冷却装置では、発熱部に組み込まれた冷媒経路を冷媒が通過する間に、発熱部を冷却する。冷媒経路を流れる冷媒は気相部の気相域と接触するが、気相域に存在する酸素成分による冷媒の酸化は酸化抑制手段により抑制される。こうした冷媒酸化の抑制は、気相域に存在する酸素成分を冷媒の酸化以外に優先して用いて、気相域内の酸素成分を低減もしくは除去しておくことで達成でき、これにより、冷媒が気相液と接触する際に、気相域内の酸素成分が冷媒中に溶け込むことが抑制される。よって、冷媒中の酸素溶存量は小さくなり、冷媒は酸素成分により酸化され難くなる。この結果、冷媒の酸化反応自体を抑制できるので、冷媒の酸化反応に伴う他の物質への冷媒変遷による冷媒の減少を抑制した上で、冷媒劣化を抑制できる。つまり、冷媒が他の物質に変遷することなく存在する比率が高まるので、冷媒の凍結回避性能を維持しつつ、冷媒劣化を抑制できることになる。
【００１０】
なお、冷媒酸化を抑制する酸化抑制手段としては、後述するような触媒による水素と酸素の反応を利用した構成の他、冷媒よりも容易に酸化する性質の部材を用いるようにして、気相域に存在する酸素成分を低減もしくは除去するようにできる。
【００１１】
上記した冷却装置は、次のような態様とすることができる。例えば、冷媒経路を、前記冷媒を循環させる冷媒循環経路と、前記冷媒を貯留し該貯留した冷媒を前記冷媒循環経路に補充するリザーブタンクとを備えるものとした上で、前記酸化抑制手段は、前記リザーブタンク内の冷媒水面より上方の気相域に配設することができる。こうすれば、リザーブタンクにおける冷媒への酸素の溶け込みをタンク内において抑制できることから、リザーブタンクに貯留されている冷媒はもとより、冷媒循環経路に補充される冷媒にあっても、冷媒中の酸素溶存量は小さくなり酸化反応による劣化を抑制できる。
【００１２】
本発明では、発熱部として燃料電池を有する燃料電池システムとして、以下の構成を採用した。
【００１３】
[適用：燃料電池システム]
燃料電池を備え該燃料電池を冷却する燃料電池システムであって、
前記燃料電池を発熱部として冷媒の通過経路に組み込んだ上記の冷却装置を備え、
前記酸化抑制手段は、前記気相域における酸素と水素との反応を起こす触媒を担持した触媒担持体とされている
ことを要旨とする。
【００１４】
この燃料電池システムでは、燃料電池を発熱部として冷媒により冷却する。燃料電池は、水素と酸素の電気化学反応を伴うことから、電気化学反応に供されなかった水素と酸素が冷媒に溶け込むことがあり得る。こうして水素と酸素が溶け込んだ冷媒は、気相部の気相域と接触するが、その接触の際に冷媒から水素と酸素が気相域に気体として貯まることになる。そうすると、この気相域の酸化抑制手段である触媒担持体は、担持した触媒により気相域における水素と酸素を反応させて水を生成し、この水生成に伴って気相域から酸素成分を低減もしくは除去する。よって、上記構成の燃料電池システムでは、燃料電池冷却用の冷媒の酸化抑制、劣化抑制を図りつつ、冷媒の凍結回避性能を維持できる。この場合、気相域に水素を間歇的に導入するようにすることもできる。そして、触媒による水素と酸素の反応を利用して気相域から酸素成分を低減もしくは除去していることから、補充・交換と言ったメンテナンスも不要となり簡便である。
【００１５】
そして、上記の燃料電池システムにおいて、触媒担持体を触媒による反応を経て酸素と水素から生成した水をリザーバタンク内に落下させるよう配設すれば、担持済みの触媒が水で覆われた状態のままとならないようにできる。よって、気相域の水素と酸素が触媒に触れる機会を確保できるので、触媒反応を継続でき、気相域からの酸素成分の低減もしくは除去の継続に寄与できる。
【発明を実施するための最良の形態】
【００１６】
以下、本発明の実施の形態を実施例に基づいて説明する。図１は本発明の実施例としての燃料電池システム１００の概略構成を示す説明図である。
【００１７】
図示するように、燃料電池システム１００は、水素と酸素との電気化学反応によって発電する燃料電池ユニット４０を、複数積層させたスタック構造として備える。各燃料電池ユニット４０は、プロトン伝導性を有する電解質膜の両面に、それぞれ、アノード、および、カソードを接合してなる膜電極接合体を、セパレータによって挟持することによって構成されている。膜電極接合体において、アノード、および、カソードは、それぞれ、電解質膜の各表面に接合された触媒層と、この触媒層の表面に接合されたガス拡散層とを備えている。本実施例では、電解質膜として、ナフィオン（登録商標）等の固体高分子膜を用いるものとした。電解質膜として、固体酸化物等、他の電解質膜を用いるものとしてもよい。各セパレータには、アノードに供給すべき燃料ガスとしての水素の流路や、カソードに供給すべき酸化剤ガスとしての空気の流路や、冷却用の冷媒の流路が形成されている。なお、燃料電池ユニット４０の積層数は、燃料電池スタック１０に要求される出力に応じて任意に設定可能である。
【００１８】
図示するように、燃料電池スタック１０は、一端から、エンドプレート１０ａ、絶縁板２０ａ、集電板３０ａ、複数の燃料電池ユニット４０、集電板３０ｂ、絶縁板２０ｂ、エンドプレート１０ｂの順に積層することによって構成されている。そして、これらには、燃料電池スタック１０内に、水素や、空気や、冷媒を流すための供給口や、排出口が設けられている（図示省略）。また、燃料電池スタック１０内部には、水素や、空気や、冷媒を、それぞれ、各燃料電池ユニット４０に分配して供給するための供給マニホールド（水素供給マニホールド、空気供給マニホールド、冷媒供給マニホールド）や、各燃料電池ユニット４０のカソードから排出されるカソードオフガスや、冷媒を集合させて燃料電池スタック１０の外部に排出するための排出マニホールド（カソードオフガス排出マニホールド、冷媒排出マニホールド）が形成されている（図示省略）。
【００１９】
なお、本実施例の燃料電池スタック１０は、各燃料電池ユニット４０のアノードに供給された水素のほぼすべてが、燃料電池スタック１０の外部に排出されることなく、燃料電池スタック１０の内部に滞留された状態で発電に利用される、いわゆるアノードデッドエンド型燃料電池であるものとした。したがって、燃料電池スタック１０の内部には、各燃料電池ユニット４０のアノードから排出されるアノードオフガスを集合させて燃料電池スタック１０の外部に排出するためのアノードオフガス排出マニホールドは形成されていない。
【００２０】
エンドプレート１０ａ，１０ｂは、剛性を確保するため、鋼等の金属によって形成されている。絶縁板２０ａ，２０ｂは、ゴムや、樹脂等の絶縁性部材によって形成されている。集電板３０ａ，３０ｂは、緻密質カーボンや、銅板などのガス不透過な導電性部材によって形成されている。集電板３０ａ，３０ｂには、それぞれ、図示しない出力端子が設けられており、燃料電池スタック１０で発電した電力を出力可能となっている。
【００２１】
なお、図示は省略しているが、燃料電池スタック１０には、スタック構造のいずれかの箇所における接触抵抗の増加等による電池性能の低下を抑制したり、ガスの漏洩を抑制したりするために、スタック構造の積層方向に、押圧力が加えられている。
【００２２】
燃料電池スタック１０のアノードには、配管５３を介して、高圧水素を貯蔵した水素タンク５０から、燃料ガスとしての水素が供給される。水素タンク５０の代わりに、アルコール、炭化水素、アルデヒドなどを原料とする改質反応によって水素リッチなガスを生成し、アノードに供給するものとしてもよい。
【００２３】
水素タンク５０に貯蔵された高圧水素は、水素タンク５０の出口に設けられたシャットバルブ５１、レギュレータ５２によって、圧力、および、供給量が調整されて、水素供給マニホールドを介して、各燃料電池ユニット４０のアノードに供給される。なお、この燃料電池システム１００は、先に説明したように、アノードデッドエンド型の燃料電池スタック１０を備えているので、本実施例では、アノードからの排気ガスを外部に排出するための配管は備えていないものとした。
【００２４】
燃料電池スタック１０のカソードには、配管６１を介して、コンプレッサ６０によって圧縮された圧縮空気が、酸素を含有した酸化剤ガスとして供給される。そして、この圧縮空気は、配管６１に接続された空気供給マニホールドを介して、各燃料電池ユニット４０のそれぞれのカソードに供給される。各燃料電池ユニット４０のカソードから排出されるカソードオフガスは、カソードオフガス排出マニホールドに接続された排出配管６２を介して、燃料電池スタック１０の外部に排出される。排出配管６２からは、カソードオフガスとともに、燃料電池スタック１０のカソードで、水素と酸素との電気化学反応によって生成された生成水も排出される。
【００２５】
燃料電池スタック１０は、水素と酸素の電気化学反応によって発電し、この電気化学反応に伴って発熱するため、燃料電池スタック１０には、燃料電池スタック１０を冷却するための冷却系が設置されている。この冷却系は、燃料電池スタック１０をラジエータ７１と共に循環経路７２に組み込んで備え、ポンプ７０によって冷媒を循環経路７２にて循環させ、この冷媒循環により燃料電池スタック１０、詳しくはそれぞれの燃料電池ユニット４０を冷却する。そして、ラジエータ７１はリザーブタンク８０と接続され、ラジエータ７１や循環経路７２における冷媒量に応じてリザーブタンク８０からラジエータ７１に冷媒が補充される。本実施例では、燃料電池スタック１０の冷却に用いる冷媒を、グリコール類（例えば、エチレングリコール）を水に所定配合比（例えば、５０ｗｔ％）で配合した混合液とした。
【００２６】
リザーブタンク８０は、中空の密閉容器であって冷媒を所定量貯留し、ラジエータ７１の側への冷媒補充に伴い、小径の空気導入管８２を経て、容器内の気相域に空気を導入或いは排出する。つまり、リザーブタンク８０からラジエータ７１に冷媒が送られると、水位低下に伴って空気が空気導入管８２を経て導入され、リザーブタンク８０の側に冷媒が戻ると、水位上昇に伴って容器内の空気が空気導入管８２を経て排出される。このリザーブタンク８０は、容器内の気相域、具体的には容器天井壁に触媒担持体９０を吊り下げて備える。図２は触媒担持体９０の概略構成を斜視にて示す説明図、図３は触媒担持体９０の装着の様子を示す説明図である。
【００２７】
図示するように、この触媒担持体９０は、セラミック製のハニカム形状をなす筒状の本体９２にベルト９４を装着し、当該ベルトから吊り下げようの係合腕９６を突出させている。触媒担持体９０は、水素と酸素との反応を起こす触媒、例えば白金（白金粉末）の懸濁液に本体９２を浸漬させ、その後乾燥させることで、ハニカム状の通路（ハニカム通路）の表面に白金触媒を担持して備える。そして、触媒担持体９０は、係合腕９６の頂上部をリザーブタンク８０の容器天井壁に形成した係合凹所８１に係合させることで、リザーブタンク８０の天井壁に吊り下げられ、触媒担持体９０における冷媒水面Ｓより上方の気相域に位置することになる。このように、触媒担持体９０は吊り下げられていることから、本体９２のハニカム通路には、本体９２の上下面から容器内のガス、具体的には水素と酸素が入り込む。なお、本体９２に担持させる触媒は、水素と酸素の反応を起こすものであればよく、白金を用いた合金とすることもできる。
【００２８】
燃料電池システム１００の運転は、図示しない制御ユニットによって制御される。制御ユニットは、内部にＣＰＵ、ＲＡＭ、ＲＯＭなどを備えるマイクロコンピュータとして構成されており、ＲＯＭに記憶されたプログラムに従って、例えば、各種バルブや、ポンプの駆動等、システムの運転を制御する。こうした制御により、燃料電池スタック１０への既述したような水素および酸素の供給が行われて燃料電池スタック１０は発電し、その電力が集電板３０ａ、３０ｂを経て外部の負荷に供給される。また、ポンプ７０は、所定の回転数で回転して、冷媒を循環経路７２において循環させるので、循環経路７２を通過する冷媒は、燃料電池スタック１０の冷媒流路を通過する間に燃料電池スタック１０（詳しくは、個々の燃料電池ユニット４０）を冷却し、ラジエータ７１での熱交換を経て、改めて燃料電池ユニット４０の冷却に供される。
【００２９】
上記構成を有する本実施例の燃料電池システム１００では、循環経路７２を通過して燃料電池ユニット４０を冷却する冷媒は、リザーブタンク８０からラジエータ７１に送られる以前の状態において、リザーブタンク８０の冷媒水面Ｓにおいてリザーブタンク８０の容器内の気相域と接触する。ところが、本実施例では、リザーブタンク８０の容器天井壁から触媒担持体９０を吊り下げて備えるので、冷媒水面Ｓより上の容器内の気相域に存在する酸素成分は、触媒担持体９０に担持済みの触媒により、当該気相域に存在する水素成分と反応して除去されている。この水素成分は、冷媒が燃料電池スタック１０の燃料電池ユニット４０を通過する間に冷媒中に溶け込んで、ラジエータ７１からリザーブタンク８０に戻った冷媒により賄われる。
【００３０】
リザーブタンク８０内の冷媒は、冷媒水面Ｓにおいてリザーブタンク８０内の気相域と接触するが、触媒担持体９０（詳しくは、触媒担持体９０が担持した触媒）による水素との反応を経た酸素除去により、このリザーブタンク８０内の冷媒に酸素成分が溶け込むことは抑制され冷媒中の酸素溶存量は小さくなる。そして、リザーブタンク８０の冷媒は、ラジエータ７１を経由して循環経路７２に随時送られることから、循環経路７２を流れる冷媒は酸素溶存量が小さいために酸素成分により酸化され難くなる。このため、本実施例によれば、冷媒の酸化反応自体を抑制できるので、冷媒の酸化反応に伴う他の物質への冷媒変遷による冷媒の減少を抑制した上で、冷媒劣化を抑制できる。つまり、冷媒が他の物質に変遷することなく存在する比率が高まるので、冷媒の凍結回避性能を維持しつつ、冷媒劣化を抑制できる。
【００３１】
また、本実施例では、触媒担持体９０をリザーブタンク８０の容器天井壁から離して吊り下げたので、触媒担持体９０における触媒担持済みのハニカム通路に、本体上下面側から水素および酸素が入り込むようにできる。よって、触媒による水素と酸素の反応の機会が増えるので、その分だけ、触媒反応を継続できることになり、上記した酸素除去、およびこれに伴う冷媒の酸化防止、劣化防止を図ることができる。
【００３２】
しかも、触媒担持体９０は、ハニカム通路が冷媒水面Ｓに向かって上下に並ぶよう吊り下げられていることから、水素と酸素の触媒反応に伴って生成された生成水は、触媒担持体９０のハニカム流路から冷媒水面Ｓに容易に落下する。このため、触媒担持済みのハニカム流路では、流路表面が生成水で覆われた状態のままとならないので、ハニカム流路表面において水素と酸素が触媒に触れる機会を確保できる。よって、触媒担持体９０のハニカム流路表面での触媒反応を継続できることになり、上記した酸素除去、およびこれに伴う冷媒の酸化防止、劣化防止の実効性は高まる。
【００３３】
加えて、リザーブタンク８０での酸素除去は、触媒担持体９０がハニカム流路に担持させた触媒による反応に基づいて起きるので、触媒に水素と酸素が触れる状態が維持されていれば、触媒担持体９０の交換は不要となる。よって、本実施例によれば、冷媒の酸化防止や劣化防止を図るに当たって、メンテナンスフリーとなり簡便である。
【００３４】
ところで、リザーブタンク８０の冷媒水面Ｓが低下すると、空気導入管８２をへて新たな空気がタンク内に導入されるが、新たな空気中の酸素成分にあっても触媒担持体９０により水素と反応して除去される。つまり、新たな空気が導入される以前では、リザーブタンク８０の冷媒水面Ｓより上に存在する酸素成分は、既に触媒による水素との反応を経て除去済みであり、この状態で新たな空気が導入されても、この新たな空気中の酸素成分は、タンク内の水素と速やかに反応して除去される。その一方、リザーブタンク８０の冷媒水面Ｓが上昇した場合には、水面上昇をもたらす分だけリザーブタンク８０に冷媒が戻ることになり、この戻った冷媒に既述したように溶け込んでいた水素は、冷媒水面Ｓより上の気相域に留まる。よって、この水素は上記した触媒担持体９０による酸素除去（即ち、水素との反応を経た水生成）に供されるので、触媒担持体９０による酸素除去に際して水素不足という事態は起きないようになる。
【００３５】
次に、触媒担持体９０の他の形態を説明する。図４はハニカム状の流路を備えた触媒担持体９０に変わる変形例の触媒担持体９０Ａの概略構成を示す説明図、図５は図３相当図であり変形例の触媒担持体９０Ａの装着の様子を示す説明図である。
【００３６】
図示するように、この変形例の触媒担持体９０Ａは、先に説明した触媒担持体９０がハニカム状の流路を形成するのに対し、中空の本体９２Ａの左右にリザーブタンク８０の容器天井壁に係合するための係合腕９６Ａを備え、本体９２Ａの内部に波状のフィンＦを多列に有する。この触媒担持体９０Ａにあっては、フィンＦで形成される流路を触媒担持体９０と同様に容器天井壁の下方に上下に形成し、フィンＦの表面に上記した触媒を担持している。よって、触媒担持体９０に代わりこの触媒担持体９０Ａをリザーブタンク８０に設置しても、触媒担持体９０と同様の効果を奏することができる。
【００３７】
図６はまた別の変形例の触媒担持体９０Ｂの概略構成を示す説明図である。図示するように、この変形例の触媒担持体９０Ｂは、リザーブタンク８０の容器天井壁に係合するための係合腕９６Ｂの間に、屈曲した屈曲片９２Ｂを備え、当該屈曲片に貫通孔を多列に備える。この触媒担持体９０Ｂにあっては、屈曲片９２Ｂの表裏面に上記した触媒を担持している。触媒担持体９０Ｂにおける屈曲片９２Ｂの貫通孔は、屈曲片９２Ｂの表面に担持された触媒により生成された生成水を、リザーブタンク８０の冷媒水面Ｓに落下させる。よって、触媒担持体９０に代わりこの触媒担持体９０Ｂをリザーブタンク８０に設置しても、触媒担持体９０と同様の効果を奏することができる。なお、屈曲片９２Ｂを多列に形成するようにすることもできる。
【００３８】
図７は図１における循環経路７２の経路途中に酸素除去のための構成を設けた変形例を示す説明図である。この変形例は、上記したリザーブタンク８０とは別に或いはリザーブタンク８０と併用して冷媒の酸化防止を図る点に特徴がある。この図７に示す変形例では、循環経路７２の適宜箇所、例えば循環経路７２の経路における最上部に中空の酸素除去容器１１０を、ねじ込み装着等により液密に備え、当該容器内に既述した触媒担持体９０を備える。よって、この変形例の酸素除去容器１１０によっても、当該容器内に有する触媒担持体９０により、既述した効果を奏することができる。
【００３９】
酸素除去容器１１０は、密閉容器であり、その内容積は次のように定めた。まず、触媒担持体９０を容器天井壁から既述したように吊り下げ保持できる内容積とした。これと共に、次のようにした。酸素除去容器１１０における気相域に循環経路７２を通過する冷媒から当該冷媒に溶け込んだ酸素成分と水素成分とがこの酸素除去容器１１０に仮に充満しても、触媒担持体９０の触媒により酸素成分と水素成分は水となって除去されるので、酸素除去容器１１０の気相域はその容積が減少する。そして、気相域の容積が最小となった場合でも、触媒担持体９０は気相域内に位置して、酸素除去容器１１０の内部が冷媒により充満されないように、酸素除去容器１１０の大きさを定めた。
【００４０】
以上、本発明の実施の形態を実施例にて説明したが、本発明は上記した実施例や変形例の実施形態に限られるものではなく、その要旨を逸脱しない範囲において種々の態様にて実施することが可能である。例えば、上記した実施例では、発熱部として燃料電池ユニット４０を有する燃料電池システム１００に付いて説明したが、燃料電池システム１００以外の発熱部をグリコール類の冷媒により冷却する構成に適用することもできる。例えば、内燃機関を冷却するものにも用いてもよい。また、水素と酸素の触媒による反応を利用した触媒担持体９０の他、冷媒に含有されるグリコール類の冷媒よりも容易に酸化する性質の部材を、触媒担持体９０に倣って担持或いは付着した部材をリザーブタンク８０や酸素除去容器１１０に装着する構成とすることもできる。また、リザーブタンク８０の気相域におけるタンク内表面や、酸素除去容器１１０での気相域における容器内表面に、既述した触媒を担持させるようにすることもできる。
【図面の簡単な説明】
【００４１】
【図１】本発明の実施例としての燃料電池システム１００の概略構成を示す説明図である。
【図２】触媒担持体９０の概略構成を斜視にて示す説明図である。
【図３】触媒担持体９０の装着の様子を示す説明図である。
【図４】ハニカム状の流路を備えた触媒担持体９０に変わる変形例の触媒担持体９０Ａの概略構成を示す説明図である。
【図５】図３相当図であり変形例の触媒担持体９０Ａの装着の様子を示す説明図である。
【図６】また別の変形例の触媒担持体９０Ｂの概略構成を示す説明図である。
【図７】図１における循環経路７２の経路途中に酸素除去のための構成を設けた変形例を示す説明図である。
【符号の説明】
【００４２】
１０…燃料電池スタック
１０ａ…エンドプレート
１０ｂ…エンドプレート
２０ａ…絶縁板
２０ｂ…絶縁板
３０ａ…集電板
３０ｂ…集電板
４０…燃料電池ユニット
５０…水素タンク
５１…シャットバルブ
５２…レギュレータ
５３…配管
６０…コンプレッサ
６１…配管
６２…排出配管
７０…ポンプ
７１…ラジエータ
７２…循環経路
８０…リザーブタンク
８１…係合凹所
８２…空気導入管
９０…触媒担持体
９０Ａ…触媒担持体
９０Ｂ…触媒担持体
９２…本体
９２Ａ…本体
９２Ｂ…屈曲片
９４…ベルト
９６…係合腕
９６Ａ…係合腕
９６Ｂ…係合腕
１００…燃料電池システム
１１０…酸素除去容器
Ｓ…冷媒水面
Ｆ…フィン
【図１】
2009123387.tif 000003
【図２】
2009123387.tif 000004
【図３】
2009123387.tif 000005
【図４】
2009123387.tif 000006
【図５】
2009123387.tif 000007
【図６】
2009123387.tif 000008
【図７】
2009123387.tif 000009